(57)【要約】【課題】動物から採取された生物サンプルが特定の動物から得られたものであることを正しく識別されるようにした、より安全な仕組みをもたらす方法及び手段を提供する。【解決手段】動物を識別するためのシステムであって、動物に装着される動物識別装置（１２，１３）と、上記識別装置によって識別される動物から採取された生物組織体を保管する装置（１７）とを有する。保管装置（１７）及び識別装置（１２，１３）は共通の識別名（１８，１８ａ）がそれぞれ示されている。識別装置（１２，１３）及び保管装置（１７）は、使用される前に、成形されたトレイの構成を取りうるホルダー（１（））に取り付けられる。【選択図】図１
2007501610.tif 000002
【特許請求の範囲】
【請求項１】
動物に装着される動物識別装置（１２，１３）と、上記識別装置によって識別される上記動物から採取された生物組織体を保管する装置（１７）とを備え、上記保管装置（１７）及び上記識別装置（１２，１３）は共通の識別名（１８，１８ａ）がそれぞれ示されていることを特徴とする動物の識別システム。
【請求項２】
上記識別装置（１２，１３）及び上記保管装置（１７）は、使用される前にホルダー（１１）に取り付けられることを特徴とする請求項１に記載の動物の識別システム。
【請求項３】
上記ホルダーは、成形されたトレイ（１１）の形態を取りうることを特徴とする請求項２に記載の動物の識別システム。
【請求項４】
上記識別装置は、動物の耳タグ又はボーラスであることを特徴とする請求項１乃至３のいずれかに記載の動物の識別システム。
【請求項５】
上記耳タグは、２部品からなる耳タグ（１２，１３）であることを特徴とする請求項４に記載の動物の識別システム。
【請求項６】
上記保管装置（１７）は、上記耳タグ又は上記耳タグの一部品（１２）に着脱可能に固定されることを特徴とする請求項１乃至５のいずれかに記載の動物の識別システム。
【請求項７】
上記識別装置は、電子識別装置（２７）によっても構成可能であることを特徴とする請求項１乃至６のいずれかに記載の動物の識別システム。
【請求項８】
上記共通の識別名（１８，１８ａ）は、アルファベット、数字、或いは英数字の標識であることを特徴とする請求項１乃至７のいずれかに記載の動物の識別システム。
【請求項９】
上記共通の識別名は、視覚による上記動物の識別に使用される農場用管理識別名であることを特徴とする請求項１乃至７のいずれかに記載の動物の識別システム。
【請求項１０】
上記共通の識別名は、電子識別装置（２７）の固有番号（２９）の一部となりうることを特徴とする請求項７に記載の動物の識別システム。
【請求項１１】
上記トレイ（１１）は、上記識別装置を構成する耳タグの雄部品（１２）の頭部を着脱可能に保持するように形成された凹部（１４）を有することを特徴とする請求項２に記載の動物の識別システム。
【請求項１２】
上記トレイ（１１）は、上記耳タグの雌部品（１３）が着脱可能に保持される保持装置を有することを特徴とする請求項１１に記載の動物の識別システム。
【請求項１３】
上記保持装置は、上記耳タグの雌部品の一部がその内部に位置する凹部（１６）と、上記雌部品が取り付け可能である柱状部材とを有することを特徴とする請求項１１に記載の動物の識別システム。
【請求項１４】
第２の識別装置の雄部品（２８）の頭部のための第２の凹部（２６）と、第２の識別装置の雌部品のための柱状部材（１５）を有する第２の凹部（２５）とを更に有することを特徴とする請求項１１に記載の動物の識別システム。
【請求項１５】
上記第２の識別装置は、電子識別装置（２９）であることを特徴とする請求項１４に記載の動物の識別システム。
【請求項１６】
上記トレイ（１１）は、連結された複数のトレイの１つとして構成されることを特徴とする請求項１１乃至１５のいずれかに記載の動物の識別システム。
【請求項１７】
上記トレイ（１１）は、樹脂成形されたものであることを特徴とする請求項１１乃至１６のいずれかに記載の動物の識別システム。
【請求項１８】
上記共通の識別名は、視覚による識別を目的として使用される農場用管理識別名であることを特徴とする請求項１１乃至１７のいずれかに記載の動物の識別システム。
【請求項１９】
上記共通の識別名は、電子識別装置の固有番号の一部を構成することを特徴とする請求項１８に記載の動物の識別システム。
【請求項２０】
識別標識が示された動物識別装置及び同じ識別標識が示された保管装置を用意し、動物から生物組織体のサンプルを採取して上記保管装置内に置き、上記識別装置を上記動物に装着すると共に、上記保管装置を保管施設に置くことを特徴とする動物の識別方法。
【請求項２１】
添付図面を参照して実質的にここに述べられた動物の識別システム。
【発明の詳細な説明】
【技術分野】
【０００１】
本発明は動物識別の改善に関する。
【背景技術】
【０００２】
世界的に、動物の安定した識別と追跡が行われる傾向にあり、これらは特に人間による消費のために意図されている。例えば、多くの国において、動物の健康状態を追跡する手段を得るために、蓄牛、羊、豚及び山羊などの動物を識別する手段を備えることが義務づけられている。このような識別は動物へのマーキングによって行われる。
視覚的或いは電気的な耳タグは識別の一般的な方法である。識別は、その動物に関連する形態や、例えばその動物が飼育された場所や血統並びに畜産家といった動物の生物学的データ及び出所に関連する形態によって行うことができる。
【０００３】
動物の識別用マーキングや動物に関連するデータは、一般的に集中化されコンピュータ化されたデータバンクに保持される。このデータバンクに保持されているデータは、利害関係があるか或いは必要とする関係者によってアクセスすることが可能となっている。例えば、データバンクは、畜産家、政府機関、家畜家団体、獣医学関係者などによるアップデートや情報修正のためにアクセスすることが可能である。
【０００４】
個々の動物の認識に対する最大限の保安性を達成するための活動により、動物用タグ製造業者は、不正変更不能といわれるタグを考案するに至った。これは、タグを動物からたやすく取り外すことができないことを意味する。またこれに代えて、タグが取り外されても再利用できないようにしたり、再利用されても不正変更が判るような（tamper-evident）タグを構成することもできる。不正変更が判るようなマーキング装置は、つけているマーキングとはその動物が関係していない可能性があることを、政府機関などに警報する。
【０００５】
個々の動物の識別に対する保安性と信頼性を更に追求する中で、保管してＤＮＡ分析を行うために動物から生物組織体を採取するという提案がなされた。例えば、特許文献１には、動物から生物組織のサンプルを打ち抜いたり切り取ったりして容器に収容する装置及び方法が開示されている。その容器はその後、容器とタグとが同じマーキングを有した状態で耳タグと結合されるようにしても良い。
【０００６】
ほかにも同様の提案がなされている。例えば、特許文献２には、雄側パンチ部材が着脱可能な切断手段を有している耳タグについて述べている。その後、試料はタグの雌側部材にあるカプセル内に収容されるようになっている。
特許文献３には、その後の分析のため、生物サンプルを収集して保存する装置が開示されており、この装置はサンプルを保存するための不正変更判別型（tamper-evident）の保存手段を有している。この保存手段は、分析のため生物サンプルと共に消化されるのに適切なものとなっている。
【特許文献１】国際公開第ＷＯ９９／６１８８２号パンフレット
【特許文献２】欧州特許公開公報第１０６０６６２号
【特許文献３】国際公開第ＷＯ０１／１８２３９号パンフレット
【発明の開示】
【発明が解決しようとする課題】
【０００７】
従って、動物の確実な識別及び追跡を提供する上でなされてきたこれまでの試みは、動物に結合して用いられる、例えば耳タグや、生物組織体サンプルを保管するための装置などのような、個別の物理的な素子や部品に集中していた。このため、情報の信頼性は、人的な誤りを受けやすいことから、保証されていなかった。
例えば、動物が装着している（視覚的或いは電気的な）識別手段への、生物サンプルと関連づけられたマーキングは、酪農家や技術者がサンプル及び／又は動物に装着された識別装置に物理的なマーキングを行うことによってなされる。従って、生物サンプルを保存した装置が、サンプルを採取された動物とは違ったマーキングを与えられている可能性が高い。
【０００８】
従って、本発明の目的は、動物から採取された生物サンプルが特定の動物から得られたものであることを正しく識別されるようにした、より安全な仕組みをもたらす方法及び手段を提供することにある。
【課題を解決するための手段】
【０００９】
本発明の１つの特徴によれば、動物に装着される動物識別装置と、上記識別装置によって識別される上記動物から採取された生物組織体を保管する装置とを備え、上記保管装置及び上記識別装置は共通の識別名がそれぞれ示されるようにした動物の識別システムが提供される。
上記識別装置及び上記保管装置は、使用される前にホルダーに取り付けられるのが好ましい。上記ホルダーは成形されたトレイの形態をとりうる。
【００１０】
本発明の一形態をなす上記識別装置は、動物の耳タグ或いはボーラス（bolus）とすることができる。上記識別装置が耳タグである場合には２部品からなる耳タグであるのが好ましい。
上記保管装置は、上記耳タグ又は上記耳タグの一部品に着脱可能に固定されるのが好ましい。また、上記識別装置は電子識別装置によっても任意に構成することが可能であって、視覚識別用耳タグと組み合わされるのが好ましい。
【００１１】
本発明の好ましい形態において、上記共通の識別名は、アルファベット、数字、或いは英数字の標識である。上記共通の識別名は、視覚による上記動物の識別に使用される農場用管理識別名（通常は数字）とすることができる。上記共通の識別名は、電子識別装置の固有番号とすることができる。
本発明の第２の特徴によれば、識別標識が示された動物用識別装置及び同じ識別標識が示された保管装置を用意し、動物から生物組織体のサンプルを採取して上記保管装置内に置き、上記識別装置を上記動物に装着すると共に、上記保管装置を保管施設に置くようにした動物の識別方法が提供される。
【発明を実施するための最良の形態】
【００１２】
本発明の好ましい実施形態についての更に詳細な以下の説明において、添付図面への参照が行われる。
図１及び２に示されるように、識別と特定の動物からの生物組織体の採取への使用を目的とするキット１０が、酪農家或いは動物飼育者に供給されることが提案されている。本発明の図示された形態に係るキット１０は、樹脂材料から都合良く成形されうるトレイ１１を有している。トレイ１１には視覚識別用耳タグが着脱可能に係合している。図示された形態において、耳タグは２部品による構成、即ち雄部品１２と雌部品１３とからなっている。これは一例として示されるものにすぎない。
【００１３】
本発明の図示された形態において、雄部品１２及び雌部品１３は登録商標オールフレックス（ALLFLEX）の銘柄のもとで製造販売されている形式のものである。２部品型のタグは当業者に公知のものであり、構造及び耳タグの使用に関する詳細な説明は不要である。
トレイ１１には、雄タグ部品１２の軸部の円錐形状頭部が着脱可能に係合する凹部１４（図２参照）が組み込まれている。１つの形態では、上記頭部が上記凹部１４内に摩擦接合可能に構成されている。別の構成では、上記頭部が上記凹部内に押し込まれて嵌合固定（snap-lock）できるようになっている。この嵌合固定は、雄部品１２頭部の肩部分が十分な圧力で押し込まれ、上記凹部１４の周壁に沿って設けられた連続的或いは非連続的なリップ或いは隆起（図示せず）を通過して係合することによって達成される。
【００１４】
上記嵌合固定（snap-fit）の構成が使用される場合、タグを凹部から容易に引き出すことが可能となるような構成となることが、当業者によって正しく認識されるであろう。
同様に雌部品１３がトレイ１１に取り付けられる。このため、タグ部品１３に形成された開口部内に摩擦接合させるべく、柱状部材（図示しないが１５により示される形式のもの）を設けることができる。図示されるように、雌部品が係合する柱状部材は凹部１６内に配置されている。図２に示すように、この凹部１６は、雌タグ部品１３の頸部、及び肩部の一部に対して隙間が設けられるように形成することができる。
【００１５】
更に、キット１０は動物から採取した生物組織体を保管する装置１７を備えている。装置１７の構造、及び生物組織体サンプルを保管するために装置がどのようにして使用されるかについては、装置１７の構造及び使用方法が本発明と関連のあるものではないことから、ここでは詳細に説明しない。また、装置１７は本発明に影響を与えることのないような異なる構成とすることもできる。例えば、この装置は、試験管形式の製品、カプセル、成形された密封可能な容器、及び異なる形式の公知のサンプル収集装置により構成することができる。
【００１６】
従って、図中の収集装置１７の全体的な形態は、一例として示されるものにすぎない。
本発明によれば、上記装置１７には、当該装置の適切な部分に形成された孔または開口（図中において容易に視覚可能にはなっていない）が設けられている。本発明の図示された形態において、この開口は装置１７の上方右隅に打ち抜かれている。
装置１７に打ち抜かれた孔の径は、雄部品１２の軸頭部の最大断面径より小さいことが好ましい。但し、孔の径は頭部近傍の軸部の径よりは大きい。従って、雄部品１２の頭部が装置１７の開口内に押し込まれることにより、装置１７が雄部品１２の軸部に保持された状態とすることができる。
【００１７】
このことは、キット１０に装置１７を固定するのに都合が良い手段を提供するだけではなく（図１参照）、タグ部品１２及び１３を動物に装着する準備の際に、雄部品１２がトレイ１１から取り外されるとき、装置１７が雄部品１２に残るようにする手段を提供するものである。但し、タグ部品１２及び１３が動物に装着される前に、装置１７は雄部品１２の軸部から取り外される。
【００１８】
別の構成において装置１７は、タグが動物に装着される前に取り外されるような別の手段によって雄部品に固定されている。
装置１７と耳タグが装着される動物との間の関係の信頼性を確保するため、生物組織体サンプル（例えば、動物の１本以上の毛）が動物から取られて装置１７内に置かれることが提案される。このことは、キット１０の部材がまだトレイ１１に取り付けられている間に行うことができる。
【００１９】
生物組織体サンプルが一旦採取されて装置１７内に置かれると、トレイから雄部品１２を取り外すことが可能となり、サンプル装置１７は雄部品から取り外すことができる。雄部品は、雌部品１３と共に直ちに耳タグアプリケータ内に置くことが可能であり、耳タグが装着される。このようにして、サンプルが採取されて装置１７に置かれた動物に、耳タグを確実に装着することが可能となる。
【００２０】
但し、サンプル装置１７と耳タグ１２，１３との間には相関関係がなければならない。従って、タグ部品の一方（この例では雌部品１３の板部材１９）に少なくとも示される大きな数字１８が、サンプル装置１７にも予め示されている（１８ａ）。視認用耳タグ上のこの大きな数字１８は、一般的に「管理番号」として参照され、通常は農場の酪農家により、動物の同一性を確認するために動物に手を触れることなく、離れて個別の観察を行うために使用される。
【００２１】
管理番号１８及び同一の装置番号１８ａを装置１７に組み込むことにより、サンプル装置１７が容易に（且つ視覚的に）対応する耳タグに関連するものであると認識できることができる。例えば、蓄牛を取り扱う場合、タグ及び装置がひっくり返ったり、落ちたり、或いは風によって吹き飛ばされたりするということは希なことではない。このことにより異なるタグの部品と収集装置とが取り違えて組み合わされる可能性がある。
【００２２】
従って、酪農家や技術者が容易に視認可能な数字１８及び１８ａの相関関係は、キットの部品が分離してしまっても（及び同時に使用された別のキットの部材と混ざってしまうようなことがあっても）、部品の組合せ（即ち固有の組合せ）をもう一度確実に作り直すことができる。本質的に、酪農家は非常に単純で簡単な方法により、確実に正しい管理用耳タグ１２，１３が正しい装置１７と常時組合されるようにすることが可能となる。
【００２３】
更にまた、装置１７の供給者によって設けられた固有の識別番号２０が雌タグ部品１３に予め示されている（２０ａ）。この識別番号２０は、バーコード形式２１でも装置１７に記されている。
図に示すように、雌部品１３及び装置１７は、生産者の識別番号２２も有している。オーストラリアにおいてこの番号は、生産者のＰＩＣ（牧場ＩＤコード）として一般的に参照されている。
【００２４】
本発明の好ましい形態において雌部品１３は、ＤＮＡサンプルが採取され関連するデータベース／サンプル保持施設に保管されている動物のものであることを視覚的に表示するロゴ２３やその他の識別名の形態をも有するようにするのが好ましい。
ＤＮＡ標識固有番号２０は、必要なときに調べ出すことができるようにするため、生産者番号２１及び管理番号１８と共に電子形式で参照される。
【００２５】
ここで述べられた方法によってタグに記録することによる付加的な利点は、動物が売買された場合に、そのタグが取引用タグとして認められる点にある。
また、本発明によれば、タグ製造業者が耳タグを製造するとき、タグバケットファイル（Tag Bucket File）が電子的にＤＮＡ記録／保持施設（ここでは「サービスプロバイダ」という）のデータベースに転送されるようにすることを提案する。このサービスプロバイダの意味は以下の通りである。
【００２６】
・キーとなる参照番号は、サービスプロバイダによって装置１７に与えられたＤＮＡ標識固有番号２０とする。
・データベースは、固有番号２０と、視認用タグには印刷されない生産者識別番号２１及び管理番号１８の組合せとに一致するフィールドを有する。
・キット１０の各部品にある情報は、不注意で混ざってしまった場合に容易に結びつけができる。
【００２７】
・酪農家がサービスプロバイダに連絡する場合、サービスプロバイダは以下のいずれかを引用することによって、その動物を参照することが可能となる。
ａ）視認用タグに印刷された固有識別番号２０、又は
ｂ）生産者の識別番号２１及び管理番号１８の組合せ。
オーストラリアでは最近、全国家畜ＩＤ計画（ＮＬＩＳ）が、既に義務化されたビクトリア州を除く全ての州によって自発的に実行されている。他の州は２００４年６月に義務化が開始されるものと予想されていた。このことは、全ての子牛に、誕生した牧場から離れる前に改善されたＮＬＩＳ装置を有するタグが装着されることを意味する。蓄牛が直接屠殺場に送られる場合、或いは生きたまま輸出される場合は例外となる。
【００２８】
ＮＬＩＳ装置は、登録商標オールフレックス（ALLFLEX）の銘柄のもとで製造販売されているタイプの電子装置２７である。従って、本発明の第２の実施形態によれば、図３及び４に示すように、電子装置２７が凹部２５内に置かれると共に、ピン１５に係合している。更に凹部２６が設けられて雄部品１２が係合している。凹部１４内には、動物の耳に電子装置２７を装着するために使用される第２の雄部品２８の頭部が係合する。
【００２９】
ＮＬＩＳ装置は一般的にＲＦＩＤ（高周波ＩＤ）といわれるものであり、ＥＩＤ（電子ＩＤ）と呼ばれることもある。装置２７は１５桁の番号が予め組み込まれており、この番号はタグが読み取り機によってスキャンされたときにコンピュータの画面上で見ることができるようになっている。
ＮＬＩＳ装置２７の外側には、ＮＬＩＳ番号２９と呼ばれる番号が記されている。
【００３０】
ＮＬＩＳ番号２９は１９個の英数字であって、以下の５つの部分を有している。
・ＰＩＣ−尾タグ番号−最初の８個の英数字。
・装置製造業者及び型式コード。アルファベット１字であって、この例ではオールフレックスの耳タグであることを意味する「Ｘ」となっている。
・ＮＬＩＳクラス−アルファベット１字であって、この例ではブリーダ（BREEDER）装置であることを意味する「Ｂ」となっているが、ポストブリーダ（POST BREEDER）装置の場合には「Ｅ」となる。
【００３１】
・管理番号。生産者によってユーザー定義可能。５個の文字からなり、最初の桁はアルファベットでも数字でも良い。この例では「１２３４５」となっている。
ＮＬＩＳタグ２７が製造されるとき、ＲＦＩＤ或いはＮＬＩＳ番号が重複して発行されていないことを確実にするため、製造業者のコンピュータシステムがＮＬＩＳデータベースと情報交換を行い、新しいＲＦＩＤタグ２７が製造ラインに挿入される。コンピュータシステムはタグ内のＲＦＩＤ番号を読み取り、それをＮＬＩＳデータベースが認証したＮＬＩＳ番号と一致させる。次に、レーザがそのＮＬＩＳ番号をＲＦＩＤタグ２７の外側に印字する。
【００３２】
タグに印刷を行った後、製造業者のシステムは、ＲＦＩＤ２７及び一致するＮＬＩＳ番号２９の各々を一覧にした集合ファイル（association file）と呼ばれるＮＬＩＳデータベースにファイルを送る。また製造業者は、生産者が自身の農場の計量器（scale head）やソフトウエアパッケージなどの電子システムで使用することができるタグバケットファイル（Tag Bucket File）と呼ばれる同様のファイルを作る。タグバケットファイルの例は以下に示すとおりである。
【００３３】
ＮＡ２９１１７１ＸＢＵ０００２，９８２  ０００００３５１０４２１
ＮＡ２９１１７１ＸＢＵ０００３，９８２  ０００００３５２０８４１
ＮＡ２９１１７１ＸＢＵ０００４，９８２  ０００００３５４１６４６
ＮＡ２９１１７１ＸＢＵ０００５，９８２  ０００００３５８２８０６
ＮＡ２９１１７１ＸＢＵ０００６，９８２  ０００００３５２１０１２
前に述べた実施形態と同様に、管理番号１８は雌部品１３の板部材に示されている。この番号はサンプル装置１７において番号１８ａとして用いられる。電子タグ２７については、ＮＬＩＳ番号の最後の５桁が管理番号を構成しているので、ＮＬＩＳ番号２９から管理番号１８を分離することが比較的容易である。
【００３４】
本発明のこの実施形態では、固有番号２０が電子装置のＲＦＩＤ番号となっている。従って、タグ製造業者がタグを製造するとき、第１実施形態で提案したように、供給者のデータベースにタグバケットファイルが電子的に転送される。この例ではキーとなる参照番号がＲＦＩＤ番号である。このため、酪農家がサービスプロバイダに連絡する場合、その酪農家は（電子タグ２７をスキャンすることができるなら）ＲＦＩＤ番号を引用することができ、或いは電子タグの外側のＮＬＩＳ番号２９を視覚により読み取ることができる。
【００３５】
酪農家が電子装置２７をスキャンすることができない場合、固有のＲＦＩＤ番号２０がＮＬＩＳ番号２９と共に示されている視認用タグ部材１３を参照することにより、ＲＦＩＤ番号を確認することができる。
このように、本発明によれば、種々の供給者からの選択された部品／製品からなるパッケージ或いはキットが提供される。これにより、酪農家には、ＤＮＡを記録する製品と視覚的／電子的製品の両方の利点を、データ転送の信頼性の付加的な利点と組み合わせたシステム全体の利点が提供可能となる。仮に個々の部品が分離されてしまっても、管理番号への容易な参照により、全ての正しい部品が特定の動物と確実に関連づけられるように個々の部品を照合することが可能となる。
【００３６】
更に、例えば管理番号が、酪農家によって視認用タグとサンプル装置との一方或いは両方に手作業で与えられなければならないような場合には、既存のシステムに発生しうる人的エラーが生じる可能性はほとんどない。
本発明によれば、酪農家には連結された複数のトレイ１１が供給され、次にその中から１つを単に分離して特定の動物に使用すればよい。ほかのトレイはタグが装着されて試料が採取されることになっている次の動物に使用するために引き離される。
【図面の簡単な説明】
【００３７】
【図１】視認用動物識別耳タグ、及び上記識別装置が装着される上記動物から採取された生物組織体のサンプルのためのサンプル保管装置の構成を示す図である。
【図２】図１と同様のものであるが、動物識別装置の一部と共に保管トレイから取り外されたサンプル保管装置を示す図である。
【図３】図１と同様のものであるが、更に電子識別装置をが組み込まれたものを示す図である。
【図４】図２と同様のものであるが、電子識別装置と、動物に上記電子装置を取り付けるために使用される部品に結合されたサンプル保管装置とを示す図である。
【符号の説明】
【００３８】
１０  キット
１１  トレイ
１２  雄タグ部品（識別装置）
１３  雌タグ部品（識別装置）
１４  凹部
１５  柱状部材
１６  凹部
１７  サンプル装置（保管装置）
１８  管理番号（識別名）
１８ａ  装置番号（識別名）
２５  凹部（第２の凹部）
２６  凹部（第２の凹部）
２７  電子識別装置
２８  雄タグ部品
２９  ＮＬＩＳ番号（固有番号）
【図１】
2007501610.tif 000003
【図２】
2007501610.tif 000004
【図３】
2007501610.tif 000005
【図４】
2007501610.tif 000006
【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
動物に装着される動物識別装置（１２，１３）と、上記識別装置に着脱可能に固定され、上記識別装置によって識別される上記動物から採取された生物組織体を保管する保管装置（１７）とを備え、上記識別装置（１２，１３）及び上記保管装置（１７）はホルダー装置（１１）に着脱可能に保持され、上記保管装置（１７）及び上記識別装置（１２，１３）は共通の識別名（１８，１８ａ）がそれぞれ示されていることを特徴とする動物の識別システム。
【請求項２】
上記ホルダーは、成形されたトレイ（１１）の形態を取りうることを特徴とする請求項１に記載の動物の識別システム。
【請求項３】
上記識別装置は、動物の耳タグ又はボーラスであることを特徴とする請求項１乃至２のいずれかに記載の動物の識別システム。
【請求項４】
上記耳タグは、２部品からなる耳タグ（１２，１３）であることを特徴とする請求項３に記載の動物の識別システム。
【請求項５】
上記保管装置（１７）は、上記耳タグ又は上記耳タグの一部品（１２）に着脱可能に固定されることを特徴とする請求項１乃至４のいずれかに記載の動物の識別システム。
【請求項６】
上記識別装置は、電子識別装置（２７）によっても構成可能であることを特徴とする請求項１乃至５のいずれかに記載の動物の識別システム。
【請求項７】
上記共通の識別名（１８，１８ａ）は、アルファベット、数字、或いは英数字の標識であることを特徴とする請求項１乃至６のいずれかに記載の動物の識別システム。
【請求項８】
上記共通の識別名は、視覚による上記動物の識別に使用される農場用管理識別名であることを特徴とする請求項１乃至６のいずれかに記載の動物の識別システム。
【請求項９】
上記共通の識別名は、電子識別装置（２７）の固有番号（２９）の一部となりうることを特徴とする請求項６に記載の動物の識別システム。
【請求項１０】
上記トレイ（１１）は、上記識別装置を構成する耳タグの雄部材（１２）の頭部を着脱可能に保持するように形成された凹部（１４）を有することを特徴とする請求項２に記載の動物の識別システム。
【請求項１１】
上記トレイ（１１）は、上記耳タグの雌部材（１３）が着脱可能に保持される保持装置を有することを特徴とする請求項１０に記載の動物の識別システム。
【請求項１２】
上記保持装置は、上記耳タグの雌部材の一部がその内部に位置する凹部（１６）と、上記雌部材が取り付け可能である柱状部材とを有することを特徴とする請求項１０に記載の動物の識別システム。
【請求項１３】
第２の識別装置の雄部材（２８）の頭部のための第２の凹部（２６）と、第２の識別装置の雌部材のための柱状部材（１５）を有する第２の凹部（２５）とを更に有することを特徴とする請求項１０に記載の動物の識別システム。
【請求項１４】
上記第２の識別装置は、電子識別装置（２９）であることを特徴とする請求項１３に記載の動物の識別システム。
【請求項１５】
上記トレイ（１１）は、連結された複数のトレイの１つとして構成されることを特徴とする請求項１０乃至１４のいずれかに記載の動物の識別システム。
【請求項１６】
上記トレイ（１１）は、樹脂成形されたものであることを特徴とする請求項１０乃至１５のいずれかに記載の動物の識別システム。
【請求項１７】
上記共通の識別名は、視覚による識別を目的として使用される農場用管理識別名であることを特徴とする請求項１０乃至１６のいずれかに記載の動物の識別システム。
【請求項１８】
上記共通の識別名は、電子識別装置の固有番号の一部を構成することを特徴とする請求項１７に記載の動物の識別システム。
【請求項１９】
識別標識が示された動物識別装置及び同じ識別標識が示された保管装置を用意し、動物から生物組織体のサンプルを採取して上記保管装置内に置き、上記識別装置を上記動物に装着すると共に、上記保管装置を保管施設に置くことを特徴とする動物の識別方法。
【請求項２０】
添付図面を参照して実質的にここに述べられた動物簿識別システム。
【手続補正２】
【補正対象書類名】明細書
【補正対象項目名】０００９
【補正方法】変更
【補正の内容】
【０００９】
本発明の１つの特徴によれば、動物に装着される動物識別装置と、上記識別装置に着脱可能に固定され、上記識別装置によって識別される上記動物から採取された生物組織体を保管する装置とを備え、上記識別装置及び上記保管装置はホルダー装置に着脱可能に保持され、上記保管装置及び上記識別装置は共通の識別名がそれぞれ示されるようにした動物の識別システムが提供される。
上記ホルダーは成形されたトレイの形態をとりうる。
【国際調査報告】
2007501610.tif 000007
2007501610.tif 000008
2007501610.tif 000009